【手続補正書】
【提出日】令和3年5月25日(2021.5.25)
【手続補正１】
【補正対象書類名】特許請求の範囲
【補正対象項目名】全文
【補正方法】変更
【補正の内容】
【特許請求の範囲】
【請求項１】
第１の電圧により通信を行う第１のレンズ装置と、前記第１の電圧とは異なる第２の電圧により通信を行う第２のレンズ装置に対応する撮像装置であって、
レンズ装置の種類を判別する判別手段と、
複数の電気接点が配列されたマウント部と、
を有し、
前記複数の電気接点は、
レンズ装置に電力を供給するための第１の電気接点と、
前記第１の電気接点のグラウンドレベルを定める第２の電気接点と、
前記判別手段によるレンズ装置の種類の判別に用いられる第３の電気接点と、
を含み、
前記第１の電気接点と前記第２の電気接点は、前記複数の電気接点の配列において、共に前記第３の電気接点の隣に配置されており、
前記第３の電気接点の電圧が前記第１の電気接点の電圧および前記第２の電気接点の電圧を共に含まない第１の電圧範囲の電圧である場合、前記判別手段はレンズ装置を前記第１のレンズ装置であると判別し、
前記第３の電気接点の電圧が、前記第１の電圧範囲と前記第１の電気接点の電圧と前記第２の電気接点の電圧を含まない第２の電圧範囲の電圧である場合、前記判別手段はレンズ装置を前記第２のレンズ装置であると判別することを特徴とする撮像装置。
【請求項２】
前記第３の電気接点の電圧が、前記第１の電気接点の電圧を含み前記第１の電圧範囲および前記第２の電圧範囲を含まない第３の電圧範囲の電圧である場合、レンズ装置と通信を行なわないことを特徴とする請求項１に記載の撮像装置。
【請求項３】
前記第３の電気接点の電圧が、前記第２の電気接点の電圧を含み前記第１の電圧範囲および前記第２の電圧範囲を含まない第４の電圧範囲の電圧である場合、レンズ装置と通信を行なわないことを特徴とする請求項１または２に記載の撮像装置。
【請求項４】
第１の電圧により通信を行う第１のレンズ装置と、前記第１の電圧とは異なる第２の電圧により通信を行う第２のレンズ装置に対応する撮像装置であって、
レンズ装置の種類を判別する判別手段と、
複数の電気接点が配列されたマウント部と、を有し、
前記複数の電気接点は、
レンズ装置に電力を供給するための第１の電気接点と、
前記第１のカメラ側電気接点のグラウンドレベルを定める第２の電気接点と、
前記判別手段によるレンズ装置の種類の判別に用いられる第３の電気接点と、
を含み、
前記第１の電気接点と前記第２の電気接点は、前記複数の電気接点の配列において、共に前記第３の電気接点の隣に配置されており、
前記第３の電気接点の電圧が、前記第１の電気接点の電圧を含む第３の電圧範囲または前記第２の電気接点の電圧を含む第４の電圧範囲である場合、レンズ装置と通信を行なわないことを特徴とする撮像装置。
【請求項５】
レンズ装置との通信を制御する制御手段を有し、
前記第３の電気接点は、前記制御手段の動作電圧に第１の抵抗を介してプルアップされていることを特徴とする請求項１乃至４のいずれか一項に記載の撮像装置。
【請求項６】
前記第３の電気接点は、前記第１の抵抗よりも抵抗値の小さい第２の抵抗を介して前記制御手段に接続されていることを特徴とする請求項５に記載の撮像装置。
【請求項７】
前記マウント部に設けられ前記複数の電気接点を保持する接点保持部を有し、前記接点保持部は、互いに異なる数の電気接点を保持する二つの段を備え、
前記第１乃至第３の電気接点は、前記接点保持部において、保持している電気接点の数が少ない方の段に保持されていることを特徴とする請求項１乃至６のいずれか一項に記載の撮像装置。
【請求項８】
前記マウント部は、前記第１のレンズ装置に設けられたマウント部とバヨネット結合を行うバヨネット爪を有することを特徴とする請求項１乃至７のいずれか一項に記載の撮像装置。
【請求項９】
撮像装置に装着可能なレンズ装置であって、
前記撮像装置は、第１の電圧により通信を行う第１のレンズ装置と、前記第１の電圧とは異なる第２の電圧により通信を行う第２のレンズ装置に対応しており、
前記撮像装置は、
レンズ装置の種類を判別する判別手段と、
複数の電気接点が配列されたマウント部と、
を有し、
前記複数の電気接点は、
レンズ装置に電力を供給するための第１の電気接点と、
前記第１の電気接点のグラウンドレベルを定める第２の電気接点と、
前記判別手段によるレンズ装置の種類の判別に用いられる第３の電気接点と、
を含み、
前記第１の電気接点と前記第２の電気接点は、前記複数の電気接点の配列において、共に前記第３の電気接点の隣に配置されており、
前記判別手段は、
前記第３の電気接点の電圧が、前記前記第１の電気接点の電圧および前記第２の電気接点の電圧を共に含まない第１の電圧範囲の電圧である場合にレンズ装置を前記第１のレンズ装置であると判別し、前記第３の電気接点の電圧が、前記第１の電圧範囲と前記第１の電気接点の電圧と前記第２の電気接点の電圧を含まない第２の電圧範囲の電圧である場合にレンズ装置を前記第２のレンズ装置であると判別するように構成され、
前記レンズ装置は、
前記第３の電気接点と接続することで前記第３の電気接点の電圧を前記レンズ装置の種類に対応した電圧にする第４の電気接点を有することを特徴とするレンズ装置。
【請求項１０】
前記第４の電気接点は前記レンズ装置の種類に対応して定められた抵抗値の抵抗を介してグラウンドレベルと接続されていることを特徴とする請求項９に記載のレンズ装置。
【請求項１１】
撮像装置に装着可能な中間アクセサリ装置であって、
前記撮像装置は、第１の電圧により通信を行う第１のレンズ装置と、前記第１の電圧とは異なる第２の電圧により通信を行う第２のレンズ装置に対応しており、
前記撮像装置は、
レンズ装置の種類を判別する判別手段と、
複数の電気接点が配列されたマウント部と、
を有し、
前記複数の電気接点は、
レンズ装置に電力を供給するための第１の電気接点と、
前記第１の電気接点のグラウンドレベルとなる第２の電気接点と、
前記判別手段によるレンズ装置の種類の判別に用いられる第３の電気接点と、
を含み、
前記第１の電気接点と前記第２の電気接点は、前記複数の電気接点の配列において、共に前記第３の電気接点の隣に配置されており、
前記判別手段は、
前記第３の電気接点の電圧が、前記第１の電気接点の電圧および前記第２の電気接点の電圧を共に含まない第１の電圧範囲の電圧である場合にレンズ装置を前記第１のレンズ装置であると判別し、前記第３の電気接点の電圧が、前記第１の電圧範囲と前記第１の電気接点の電圧と前記第２の電気接点の電圧を含まない第２の電圧範囲の電圧である場合にレンズ装置を前記第２のレンズ装置であると判別するように構成され、
前記中間アクセサリ装置は、
前記マウント部に結合可能な第１のアクセサリマウント部と、前記第２のレンズ装置を装着可能な第２のアクセサリマウント部とを有し、
前記第１のアクセサリマウント部には、前記第３の電気接点と接続することで前記第３の電気接点の電圧を前記第２のレンズ装置の種類に対応した電圧にする第４の電気接点が設けられていることを特徴とする中間アクセサリ装置。
【請求項１２】
前記第１のアクセサリ側電気接点は前記第２のレンズ装置の種類に対応して定められた抵抗値の抵抗を介してグラウンドレベルに接続されていることを特徴とする請求項１１に記載の中間アクセサリ装置。
【請求項１３】
請求項１乃至８のいずれか一項に記載の撮像装置と、前記撮像装置に装着される請求項９または１０のレンズ装置と、を有することを特徴とする撮像システム。
【請求項１４】
請求項１乃至８のいずれか一項に記載の撮像装置と、前記撮像装置に装着される請求項１１または１２に記載の中間アクセサリ装置と、前記中間アクセサリ装置に装着されるレンズ装置と、を有することを特徴とする撮像システム。
【手続補正２】
【補正対象書類名】明細書
【補正対象項目名】０００８
【補正方法】変更
【補正の内容】
【０００８】
本発明の撮像装置は、第１の電圧により通信を行う第１のレンズ装置と、前記第１の電圧とは異なる第２の電圧により通信を行う第２のレンズ装置に対応する撮像装置であって、レンズ装置の種類を判別する判別手段と、複数の電気接点が配列されたマウント部と、を有し、前記複数の電気接点は、レンズ装置に電力を供給するための第１の電気接点と、前記第１の電気接点のグラウンドレベルを定める第２の電気接点と、前記判別手段によるレンズ装置の種類の判別に用いられる第３の電気接点と、を含み、前記第１の電気接点と前記第２の電気接点は、前記複数の電気接点の配列において、共に前記第３の電気接点の隣に配置されており、前記第３の電気接点の電圧が前記第１の電気接点の電圧および前記第２の電気接点の電圧を共に含まない第１の電圧範囲の電圧である場合、前記判別手段はレンズ装置を前記第１のレンズ装置であると判別し、前記第３の電気接点の電圧が、前記第１の電圧範囲と前記第１の電気接点の電圧と前記第２の電気接点の電圧を含まない第２の電圧範囲の電圧である場合、前記判別手段はレンズ装置を前記第２のレンズ装置であると判別することを特徴とする。
【手続補正３】
【補正対象書類名】明細書
【補正対象項目名】０００９
【補正方法】変更
【補正の内容】
【０００９】
また、本発明の他の撮像装置は、第１の電圧により通信を行う第１のレンズ装置と、前記第１の電圧とは異なる第２の電圧により通信を行う第２のレンズ装置に対応する撮像装置であって、レンズ装置の種類を判別する判別手段と、複数の電気接点が配列されたマウント部と、を有し、前記複数の電気接点は、レンズ装置に電力を供給するための第１の電気接点と、前記第１のカメラ側電気接点のグラウンドレベルを定める第２の電気接点と、前記判別手段によるレンズ装置の種類の判別に用いられる第３の電気接点と、を含み、前記第１の電気接点と前記第２の電気接点は、前記複数の電気接点の配列において、共に前記第３の電気接点の隣に配置されており、前記第３の電気接点の電圧が、前記第１の電気接点の電圧を含む第３の電圧範囲または前記第２の電気接点の電圧を含む第４の電圧範囲である場合、レンズ装置と通信を行なわないことを特徴とする。